【手続補正書】
【提出日】平成19年11月26日(2007.11.26)
【手続補正１】
【補正対象書類名】明細書
【補正対象項目名】特許請求の範囲
【補正方法】変更
【補正の内容】
【特許請求の範囲】
【請求項１】
パケット交換式ネットワークであって、
カスタマ側及びサービスプロバイダ側を有するプライベートネットワークアクセスポイント（ＰＮＡＰ）と、
該ＰＮＡＰの前記カスタマ側に接続される少なくとも第１のカスタマ及び第２のカスタマと、
該ＰＮＡＰの前記サービスプロバイダ側に接続される少なくとも１つのサービスプロバイダと、
該サービスプロバイダ並びに前記第１及び第２のカスタマに接続される相互接続ネットワークシステムとを備えており、
前記第１のカスタマがマルチホームとなるように該第１のカスタマが前記ＰＮＡＰの前記サービスプロバイダ側に接続されたサービスプロバイダに接続され、
前記マルチホームのカスタマに、該ネットワーク中の複数の宛先に対する複数の経路をリストアップするルーティングテーブル、並びに前記サービスプロバイダを介した所与の経路の好適な到達可能性を示すコミュニティ属性が提供され、
前記マルチホームのカスタマが、前記ＰＮＡＰからボーダーゲートウェイプロトコル（ＢＧＰ）供給を介して受信したASimilaterデータを利用すること、及び前記ルーティングテーブルを使用して前記マルチホームのカスタマにより維持されるルータ内に経路プリファレンスを設定することにより前記マルチホームのカスタマの前記サービスプロバイダへの接続を介して該サービスプロバイダによりサービスされる宛先へトラフィックを送ることが可能であり、
前記第１及び第２のカスタマ間のトラフィックが、前記サービスプロバイダ上を伝送することなく前記ＰＮＡＰを介して交換される、
パケット交換式ネットワーク。
【請求項２】
前記ＰＮＡＰ内のＰＮＡＰルーティングインフラストラクチャが、該ネットワーク中の複数の宛先に対する複数の経路をリストアップするルーティングテーブル、並びに複数のソースからの一組の同一経路の各経路に付与された好適度を示すパラメータを含む、請求項１に記載のネットワーク。
【請求項３】
前記ＰＮＡＰルーティングインフラストラクチャが、前記ＰＮＡＰの前記カスタマ側における前記第１及び第２のカスタマ間の直接接続のリストを有し、及び該直接接続に、前記第１及び第２のカスタマ間の他の如何なる経路よりも一層高い好適度のレベルを設定する、請求項１に記載のネットワーク。
【請求項４】
パケット交換式ネットワークであって、
カスタマ側及びサービスプロバイダ側を有するプライベートネットワークアクセスポイント（ＰＮＡＰ）と、
該ＰＮＡＰの前記カスタマ側に接続される少なくとも第１のカスタマ及び第２のカスタマと、
該ＰＮＡＰの前記サービスプロバイダ側に接続される複数のサービスプロバイダと、
該複数のサービスプロバイダ並びに前記第１及び第２のカスタマに接続される相互接続ネットワークシステムとを備えており、
前記ＰＮＡＰ内のＰＮＡＰルーティングインフラストラクチャが、該ネットワーク中の複数の宛先に対する複数の経路をリストアップするルーティングテーブル、並びに各経路に付与された好適度を示すパラメータを含み、
前記ＰＮＡＰルーティングインフラストラクチャが、前記ＰＮＡＰの前記カスタマ側における前記第１及び第２のカスタマ間の直接接続のリストを有し、
前記第１のカスタマがマルチホームとなるように該第１のカスタマが前記ＰＮＡＰの前記サービスプロバイダ側に接続されたサービスプロバイダに接続され、
前記マルチホームのカスタマに、前記ルーティングテーブル、並びに前記サービスプロバイダへの接続を介した所与の経路の好適な到達可能性を示すコミュニティ属性が提供され、
前記マルチホームのカスタマが、前記ＰＮＡＰからボーダーゲートウェイプロトコル（ＢＧＰ）供給を介して受信したASimilaterデータを利用すること、及び前記ルーティングテーブルを使用して前記マルチホームのカスタマにより維持されるルータ内に経路プリファレンスを設定することにより前記マルチホームのカスタマの前記サービスプロバイダへの接続を介して該サービスプロバイダによりサービスされる宛先へトラフィックを送ることが可能である、
パケット交換式ネットワーク。
【請求項５】
前記ＰＮＡＰルーティングインフラストラクチャが、前記直接接続に、前記第１及び第２のカスタマ間の他の如何なる経路よりも一層高い好適度のレベルを設定する、請求項４に記載のネットワーク。
【請求項６】
前記第１及び第２のカスタマ間のトラフィックが、前記サービスプロバイダ上を伝送することなく前記ＰＮＡＰを介して交換される、請求項４に記載のネットワーク。
【請求項７】
パケット交換式ネットワークにおいてトラフィックを交換する方法であって、
カスタマ側及びサービスプロバイダ側を有するプライベートネットワークアクセスポイント（ＰＮＡＰ）を設け、  該カスタマ側に少なくとも第１のカスタマ及び第２のカスタマが接続され、該サービスプロバイダ側に少なくとも１つのサービスプロバイダが接続され、前記第１のカスタマ、前記第２のカスタマ、及び前記サービスプロバイダが相互接続ネットワークシステムに接続され、前記第１のカスタマがマルチホームとなるように該第１のカスタマが前記ＰＮＡＰの前記サービスプロバイダ側に接続されたサービスプロバイダに接続されており、
前記マルチホームのカスタマに、前記ネットワーク中の複数の宛先に対する複数の経路をリストアップするルーティングテーブル、並びに前記サービスプロバイダへの前記接続を介した所与の経路の好適な到達可能性を示すコミュニティ属性を提供し、
前記マルチホームのカスタマが、前記ＰＮＡＰからボーダーゲートウェイプロトコル（ＢＧＰ）供給を介して受信したASimilaterデータを利用すること、及び前記ルーティングテーブルを使用して前記マルチホームのカスタマにより維持されるルータ内に経路プリファレンスを設定することにより該マルチホームのカスタマの前記サービスプロバイダへの接続を介して該サービスプロバイダによりサービスされる宛先へトラフィックを送ることを可能とし、
前記第１及び第２のカスタマ間のトラフィックを前記サービスプロバイダ上を伝送させることなく前記ＰＮＡＰを介して交換する、
という各ステップを有する、パケット交換式ネットワークにおいてトラフィックを交換する方法。
【請求項８】
前記ＰＮＡＰ内のＰＮＡＰルーティングインフラストラクチャが、前記ネットワーク中の複数の宛先に対する複数の経路をリストアップするルーティングテーブル、並びに各経路に付与された好適度を示すパラメータを含む、請求項７に記載の方法。
【請求項９】
前記ＰＮＡＰルーティングインフラストラクチャが、前記ＰＮＡＰの前記カスタマ側における前記第１及び第２のカスタマ間の直接接続のリストを有する、請求項７に記載の方法。
【請求項１０】
前記ＰＮＡＰルーティングインフラストラクチャが、前記直接接続に、前記第１及び第２のカスタマ間の他の如何なる経路よりも一層高い好適度のレベルを設定する、請求項９に記載の方法。
【請求項１１】
パケット交換式ネットワークであって、
カスタマ側及びサービスプロバイダ側を有するプライベートネットワークアクセスポイント（ＰＮＡＰ）と、
該ＰＮＡＰの前記カスタマ側に接続される少なくとも１つのカスタマと、
該ＰＮＡＰの前記サービスプロバイダ側に接続される少なくとも１つのサービスプロバイダと、
前記サービスプロバイダ及び前記カスタマにアクセスすることが可能な相互接続ネットワークシステムとを備えており、
前記カスタマがマルチホームとなるように該カスタマが前記ＰＮＡＰの前記サービスプロバイダ側に接続されたサービスプロバイダに接続され、
前記マルチホームのカスタマに、該ネットワーク中の複数の宛先に対する複数の経路をリストアップするルーティングテーブル、並びに前記カスタマの非ＰＮＡＰ接続を介した所与の経路の好適な到達可能性を示すコミュニティ属性が提供され、
前記マルチホームのカスタマが、前記ＰＮＡＰからボーダーゲートウェイプロトコル（ＢＧＰ）供給を介して受信したASimilaterデータを利用すること、及び前記ルーティングテーブルを使用して前記カスタマにより維持されるルータ内に経路プリファレンスを設定することにより前記カスタマの前記サービスプロバイダへの接続を介して該サービスプロバイダによりサービスされる宛先へトラフィックを送ることが可能である、
パケット交換式ネットワーク。
【請求項１２】
パケット交換式ネットワークにおいてトラフィックを交換する方法であって、
カスタマ側及びサービスプロバイダ側を有するプライベートネットワークアクセスポイント（ＰＮＡＰ）を設け、
該ＰＮＡＰの前記カスタマ側に少なくとも１つのカスタマを接続し、
該ＰＮＡＰの前記サービスプロバイダ側に少なくとも１つのサービスプロバイダを接続し、
前記サービスプロバイダ及び前記カスタマにアクセスすることが可能な相互接続ネットワークシステムを形成し、
前記カスタマがマルチホームとなるように該カスタマを前記ＰＮＡＰの前記サービスプロバイダ側に接続されたサービスプロバイダに接続し、
該マルチホームのカスタマに、前記ネットワーク中の複数の宛先に対する複数の経路をリストアップするルーティングテーブル、並びに前記カスタマの非ＰＮＡＰ接続を介した所与の経路の好適な到達可能性を示すコミュニティ属性を提供し、
前記マルチホームのカスタマが、前記ＰＮＡＰからボーダーゲートウェイプロトコル（ＢＧＰ）供給を介して受信したASimilaterデータを利用すること、及び前記ルーティングテーブルを使用して前記カスタマにより維持されるルータ内に経路プリファレンスを設定することにより前記カスタマの前記サービスプロバイダへの接続を介して該サービスプロバイダによりサービスされる宛先へトラフィックを送ることを可能にする、
という各ステップを有する、パケット交換式ネットワークにおいてトラフィックを交換する方法。